(57)【要約】      （修正有）【課題】組み合わせ式物置組み立て構造を提供する。【解決手段】組み合わせ式物置組み立て構造は、少なくとも、複数の板体部材１０と、複数の底上げ部材２０と、を含み、各該板体部材１０は、複数の第１嵌合部及び第２嵌合部を設ける。そのうち、各該第１嵌合部は、他の板体部材の第２嵌合部に対応して嵌合でき、２つの隣接する板体部材を安定して併合、嵌合でき、複数の板体部材により、大きな面積を呈する載置板を構成し、他の各板体部材の底部に数組の第３嵌合部を設けてなる。各該底上げ部材の上縁は、該板体部材の第３嵌合部に対応して嵌合でき、該板体部材を底上げし、複数の板体部材１０及び底上げ部材２０により、使用者が必要な物品の載置を提供できる物置組み立て構造を構成する。【選択図】図７
0003162822.tif 000002
【実用新案登録請求の範囲】
【請求項１】
少なくとも、複数の板体構造と、複数の底上げ部材と、を含み、
各該板体部材は、複数の第1嵌合部及び第２嵌合部を設け、そのうち、各該第１嵌合部は、他の板体部材の第２嵌合部に対応して嵌合でき、２つの隣接する板体部材を安定して併合、嵌合でき、複数の板体部材により、大きな面積を呈する載置板を構成し、他の各板体部材の底部に数組の第３嵌合部を設けてなり、
各該底上げ部材の上縁は、該板体部材の第３嵌合部に対応して嵌合でき、該板体部材を底上げし、
そのうち、各該板体部材の第1嵌合部は、下向きに該板体部材の底部に凸設され、リブを含み、該リブの底端は、径方向に係止部を凸設し、逆Ｔ又はＬ状を呈し、該第２嵌合部は、嵌合溝を含み、該嵌合溝の一端は、拡大溝部を設け、他の板体部材の第1嵌合部の底端の係止部を収容し、該拡大溝部から外に突出し、該リブを該第２嵌合部の嵌合溝に突合せ、２つの板体部材を一定距離だけ相対滑動移動させた後、そのうちの１つの板体部材の第1嵌合部のリブを該嵌合溝中に滑り込ませ、且つ該第１嵌合部底端の係止部を該嵌合溝の底縁に係止する組み合わせ式物置組み立て構造。
【請求項２】
前記各対第３嵌合部は、少なくとも２つの相対するフックを含み、該底上げ部材の上端凸縁にフックする請求項１に記載の組み合わせ式物置組み立て構造。
【請求項３】
前記各板体部材は、その底部は、凹陥部を設け、該底上げ部材の上縁内に噛みあって跨ぎ置かれる請求項１に記載の組み合わせ式物置組み立て構造。
【請求項４】
前記各板体部材上にそれぞれ複数の孔を設け、該組み合わせ式物置組み立て構造は、更に、該板体部材の被せ孔中に套接される溶接スリーブと、その底端が該溶接スリーブ中に噛み合って套接される支持ロッドと、を含み、該支持ロッドの上端は、溶接部材を套接し、溶接孔を設け、上層に位置する複数の板体部材が構成する載置板の底上げ部材底部の内に噛み合う請求項１に記載の組み合わせ式物置組み立て構造。
【請求項５】
前記該底上げ部材が該板体部材の被せ孔底部に投影するように嵌合され、該底上げ部材の上端は、套接孔を凹設し、該溶接スリーブ内に噛み合うように套接する請求項４に記載の組み合わせ式物置組み立て構造。
【請求項６】
前記支持ロッド及び該溶接部材は、一体に成型される請求項１に記載の組み合わせ式物置組み立て構造。
【考案の詳細な説明】
【技術分野】
【０００１】
本考案は、組み合わせ式物置組み立て構造に関し、特に、使用者の要求に応じて単層又は多層に構成する物置組み立て構造に関する。
【背景技術】
【０００２】
現在一般の使用者が物品を収容する場合、往々にして収納ラック又は収納ケースにより整った収納機能を行ない、多層式の収納ラック、収納ケース等の製造器により物品を立体、多層式を呈して収納し、室内の有限空間を効率的に利用している。
【０００３】
しかしながら、一般の収納ラック、収納ケースは、固定式であり、使用者の収納する物品が少量である時、公知の収納ラック、収納ケースの残りの空間は利用することができず、別途空間を占有する物品となり、収納物品数量が多い時、固定式の収納ラック又はケースは、適時の調整、拡張を行なうことができず、物品の収納載置に応じて適用することができない。
【０００４】
従って、現在既に、メーカーは、分解組み立て、折り畳み可能な物置組み立て構造を世に出しているが、これら公知の使用者に組み立てさせることができる単層又は多層の物置組み立て構造は、部材間に安定し、信頼できる嵌合又は組み付け方式を有していないので、部材間は、極めて緩み易く、且つ多層堆積時、重心が不安定になり易く、一側に傾き易く、その欠点が明らかである。
【先行技術文献】
【特許文献】
【０００５】
【特許文献１】登録実用新案第３０２４５６１号公報
【考案の概要】
【考案が解決しようとする課題】
【０００６】
本考案の目的は、組み合わせ式物置組み立て構造を提供し、少なくとも、複数の板体構造と、複数の底上げ部材と、を含み、各該板体部材は、複数の第1嵌合部及び第２嵌合部を設け、そのうち、各該第１嵌合部は、他の板体部材の第２嵌合部に対応して嵌合でき、２つの隣接する板体部材を安定して併合、嵌合でき、複数の板体部材により、大きな面積を呈する載置板を構成し、他の各板体部材の底部に数組の第３嵌合部を設けてなり、各該底上げ部材の上縁は、該板体部材の第３嵌合部に対応して嵌合でき、該板体部材を底上げし、複数の板体部材及び底上げ部材により、使用者が必要な物品の載置を提供できる物置組み立て構造を構成することである。
【課題を解決するための手段】
【０００７】
上記各該板体部材の第1嵌合部は、下向きに該板体部材の底部に凸設され、リブを含み、該リブの底端は、径方向に係止部を凸設し、逆Ｔ又はＬ状を呈し、該第２嵌合部は、嵌合溝を含み、該嵌合溝の一端は、拡大溝部を設け、他の板体部材の第1嵌合部の底端の係止部を収容し、該拡大溝部から外に突出し、該リブを該第２嵌合部の嵌合溝に突合せ、２つの板体部材を一定距離だけ相対滑動移動させた後、そのうちの１つの板体部材の第1嵌合部のリブを該嵌合溝中に滑り込ませ、且つ該第１嵌合部底端の係止部を該嵌合溝の底縁に係止し、２つの隣接する板体部材を嵌合する。
【０００８】
本考案が開示する板体部材に設置する各対の第３嵌合部は、少なくとも２つの隣接するフックを含み、該底上げ部材の上端の突縁にフックし、本考案が開示する各板体部材は、その底部に凹陥部を凹設し、該底上げ部材の上縁内に噛みあって跨ぎ置かれる。
【０００９】
本考案が開示する組み合わせ式物置組み立て構造は、そのうちの各板体部材上にそれぞれ複数の被せ孔を設け、該組み合わせ式物置組み立て構造は、更に、該板体部材の被せ孔中に套接される溶接スリーブと、その底端が該溶接スリーブ中に噛み合って套接される支持ロッドと、を含み、該支持ロッドの上端は、溶接部材を套接し、溶接孔を設け、上層に位置する複数の板体部材が構成する載置板の底上げ部材底部の内に噛み合い、従って、本考案は、多層の複数の板体部材からなる載置板を組み立てることができ、整った、多層の物品の収納を提供する。
【００１０】
本考案が開示する組み合わせ式物置組み立て構造は、そのうち、該底上げ部材が該板体部材の被せ孔底部に投影するように嵌合され、該底上げ部材の上端は、套接孔を凹設し、該溶接スリーブ内に噛み合うように套接する。
【考案の効果】
【００１１】
本考案が開示する組み合わせ式物置組み立て構造は、使用者の要求に応じて板体部材を相互に組み合わせ平面状の載置板を構成し、且つ複数の底上げ部材により底上げすることができる。或いは、使用者は、複数の溶接スリーブ、支持ロッドにより各層の複数の板体部材から構成される載置板間に套接することができ、多層の物置機能の組み合わせ式物置組み立て構造を形成し、使用者の物置の要求に適合し、本考案が開示する組み合わせ式物置組み立て構造は、以下の特徴及び利点を有し、新規性及び産業上の利用性を具備する：
1.各構成部材は、随時分解、組み立てでき、空間を占有せず、重量が軽く、繰り返し使用でき、台、物置ラック等に使用することができる。
2.各載置板間の支持ロッドの高さが顧客の要求に応じて指定できる。
3.本考案が構成する多層物置組み立て構造は、実際の試験を経て、第1層が５００〜１０００kgsを積載可能であり、第２層が３００〜５００kgsを積載可能であり、第３層が３００kgsを積載可能である。且つ、各層は、支持ロッドにより隔てられ、相互に接触、圧迫せず、各層の物品が相互の堆積で損壊することを回避する。
4.運送、包装が簡易である。
【図面の簡単な説明】
【００１２】
【図１】本考案の板体部材の平面図である。
【図２】本考案の板体部材の底面図である。
【図３】本考案の２つの板体部材が相互に嵌合した局部状態図である。
【図４】板体部材の第1嵌合部が他の板体部材に第２嵌合部に穿合し、底上げ部材と組み立てた底面状態立体図である。
【図５】図４の相対滑動する２つの板体部材から、２つの板体部材に嵌合を完成させる平面状態立体図である。
【図６】本考案が構成する単層物置組み立て構造の立体図である。
【図７】本考案の構成する多層物置組見立て構造の立体組み立て説明図である。
【図８】本考案の構成する多層物置組見立て構造の立体図である。
【考案を実施するための形態】
【００１３】
図１〜図６に示すように、本考案は、組み合わせ式物置組み立て構造は、少なくとも、複数の板体部材１０と、複数の底上げ部材２０と、を含み、各該板体部材１０は、複数の第1嵌合部１１及び第２嵌合部１２を設け、そのうち、各該第１嵌合部１１は、他の板体部材１０の第２嵌合部１２に対応して嵌合でき、２つの隣接する板体部材１０を安定して併合、嵌合でき、複数の板体部材１０により、大きな面積を呈する載置板１００を構成し、他の各板体部材１０の底部に数組の第３嵌合部１３を設けてなり、各該底上げ部材２０の上縁は、該板体部材１０の第３嵌合部１３に対応して嵌合でき、該板体部材１０を底上げし、複数の板体部材１０及び底上げ部材２０により、使用者が必要な物品の載置を提供できる物置組み立て構造を構成する。
【００１４】
図１、図２、図３、図４に示すように、上記の各該板体部材１０の第１嵌合部１１は、下向きに該板体部材１０の底部に凸設され、リブ１１１を含み、該リブ１１１の底端は、径方向に係止部１１２を凸設し、逆Ｔ又はＬ状を呈し、該第２嵌合部１２は、嵌合溝１２１を含み、該嵌合溝１２１の一端は、拡大溝部１２２を設け、他の板体部材１０の第1嵌合部１１の底端の係止部１１２を収容し、該拡大溝部１２２から外に突出し、該リブ１１１を該第２嵌合部１２の嵌合溝１２１に突合せ、２つの板体部材１０を一定距離だけ相対滑動移動させた後、そのうちの１つの板体部材１０の第1嵌合部１１のリブ１１１を該嵌合溝１２１中に滑り込ませ、且つ該第１嵌合部１１底端の係止部１１２を該嵌合溝１２１の底縁に係止し、２つの隣接する板体部材１０を嵌合する。
【００１５】
図２、図３に示すように、本考案が開示する板体部材１０の各第３嵌合部１３は、少なくとも２つの隣接するフック１３１を含み、該底上げ部材２０の上端の突縁にフックし、本考案が開示する各板体部材１０は、その底部に凹陥部１４を凹設し、該底上げ部材２０の上縁内に噛みあって跨ぎ置かれる。
【００１６】
図７、図８に示すように、本考案が開示する組み合わせ式物置組み立て構造は、そのうちの各板体部材１０上にそれぞれ複数の被せ孔１５を設け、該組み合わせ式物置組み立て構造は、更に、該板体部材１０の被せ孔１５中に套接される溶接スリーブ３０と、その底端が該溶接スリーブ３０中に噛み合って套接される支持ロッド４０と、を含み、該支持ロッド４０の上端は、溶接部材４１を套接し、溶接孔４１１を設け、上層に位置する複数の板体部材１０が構成する載置板１００の底上げ部材２０底部の内に噛み合い、従って、本考案は、多層の複数の板体部材１０からなる載置板１００を組み立てることができ、使用者に物品の収納を提供する。
【００１７】
上記の支持ロッド４０及び溶接部材４１は、一体に成型することができるが、これに制限するものではない。
【００１８】
本考案が開示する組み合わせ式物置組み立て構造は、そのうち、該底上げ部材２０が該板体部材１０の被せ孔１５底部に投影するように嵌合され、該底上げ部材２０の上端は、套接孔２１を凹設し、該溶接スリーブ３０内に噛み合うように套接する。
【００１９】
本考案が開示する組み合わせ式物置組み立て構造は、使用者の要求に応じて板体部材１０を相互に組み合わせ平面状の載置板１００を構成し、且つ複数の底上げ部材２０により底上げすることができる。或いは、使用者は、複数の溶接スリーブ３０、支持ロッド４０により各層の複数の板体部材１０及び底上げ部材２０から構成される載置板１００間に套接することができ、多層の物置機能の組み合わせ式物置組み立て構造を形成し、使用者の物置の要求に適合し、本考案が開示する組み合わせ式物置組み立て構造は、以下の特徴及び利点を有し、新規性及び産業上の利用性を具備する：
5.各構成部材は、随時分解、組み立てでき、空間を占有せず、重量が軽く、繰り返し使用でき、台、物置ラック等に使用することができる。
6.各載置板間の支持ロッドの高さが顧客の要求に応じて指定できる。
7.本考案が構成する多層物置組み立て構造は、実際の試験を経て、第1層が５００〜１０００kgsを積載可能であり、第２層が３００〜５００kgsを積載可能であり、第３層が３００kgsを積載可能である。且つ、各層は、支持ロッドにより隔てられ、相互に接触、圧迫せず、各層の物品が相互の堆積で損壊することを回避する。
8.運送、包装が簡易である。
【符号の説明】
【００２０】
１００  載置板
１０  板体部材
１１  第１嵌合部
１１１  リブ
１１２  係止部
１２  第２嵌合部
１２１  嵌合溝
１２２  拡大溝部
１３  第３嵌合部
１３１  フック
１４  凹陥部
１５  被せ孔
２０  底上げ部材
２１  套接孔
３０  溶接スリーブ
４０  支持ロッド
４１  溶接部材
４１１  溶接孔
【図１】
0003162822.tif 000003
【図２】
0003162822.tif 000004
【図３】
0003162822.tif 000005
【図４】
0003162822.tif 000006
【図５】
0003162822.tif 000007
【図６】
0003162822.tif 000008
【図７】
0003162822.tif 000009
【図８】
0003162822.tif 000010